(57)【要約】      （修正有）【課題】大隕石の地球衝突・大火山の噴火・大規模な核戦争等で噴上る粉じん・土じん・水蒸気等は放置されれば対流圏・成層圏に拡散され太陽光の地球照射を遮へいする。この程度が激しい場合地球上は氷結し、大隕石衝突の冬・大火山噴火の冬・核の冬等が止む得す到来して人類や多くの生物は（半）絶滅の大危機が招来される。これに対抗手段を提供する。【解決手段】防護開発装置は、上記の冬が到来する以前の衝突・噴火・爆発の直後に基地系集団による太陽光陰影部を移動して部分的な寒気と暖気との境界に前線面を構成し、降雨を促進する体制を速やかに遮へい物の境界線に近ずけこの降雨によって遮へい物を洗い流す。対流圏が清浄に維持でき、しかも反射太陽光の加熱もあるので地球の氷結のは回避され冬の到来の大危機は回避されると推定される。基地系集団・反射基地系集団・大型電子計算機はネットワークに構成される。【選択図】図４
2009001258.tif 000002
【特許請求の範囲】
【請求項１】
大隕石の地球衝突・大火山の噴火・大規模な核戦争等によって地球上の粉じん・土じん・・水蒸気等が大気圏や成層圏に噴き上げられ、そのまゝ放置されれば、いわゆる大隕石衝突の冬、大火山噴火の冬、核の冬等が止む得ず到来し、地球上の全人類や多くの生物の（半）絶滅の大危機が招来される大気中に於る該粉じん・土じん・水蒸気が完全に拡散される一歩手前の大危機前段階に於て、
該粉じん・土じん・水蒸気等の拡散境界の近傍の地球表面に基地系集団（特許第２９０６１６５号）の投影による太陽光陰影部に温度の低い寒気が構成される投影装置と、
該寒気に於る事象の状態や、該太陽光陰影部が投影されない暖気に於る事象の状態等が観測されてその観測結果を送信する観測装置と、
該投影装置に於る各々の基地系を制御する電子計算機のネットワークで構成される基地ネットワークや、該観測装置に於る各地の観測結果を分析し送信する電子計算機のネットワークや、総合的なデーターを収集し制御指令を発信する大型電子計算機や、等が全てネットワークに構成され、該寒気・該暖気の境界に構成される前線面を滑行上昇する湿った暖気による雲の構成によって降雨が促進され、該大危機に於て噴き上げられて拡散する拡散境界の粉じん・土じん・水蒸気等を地球の表面に洗い落すよう該投影装置が制御され、大隕石衝突の冬、大火山衝突の冬、核の冬等が到来しないようそれらの太陽光遮へい物を次第に除去するよう制御される制御装置と、
を具備した防護開発装置。
【請求項２】
前記投影装置による太陽光陰影部に隣接して構成され暖気の効力をより増加するよう、また前記粉じん・土じん・水蒸気等の太陽光遮へい物の弱い拡散状態でも暖気が構成されうるように太陽光反射部が投光される反射基地系集団を備えた投光装置と、
該投光装置に於る各々の反射基地系を制御する制御装置と、
を具備した請求項１に記載の防護開発装置。
【請求項３】
宇宙空間の小天体（小惑星・衛星等）の資材を活用し宇宙空間（衛星を含む）に於て基地系の構成要素の基地板が大量生産される製作系（特願２００３−４３７０２８号）と同等の製造装置に於て、充分に強度計算され尽され多数の補強枠で補強された輸送材を用いて、恒星間ロケットや人類輸送ロケット（現地球から新地球へ移住する際に用いられる大量輸送ロケット、即ちいわゆる箱舟）の主要構成材が構成される輸送装置
を具備した
【請求項４】
請求項３の製造装置に於て、充分に強度計算し尽され多数の補強枠で補強された居住材を用いて、宇宙空間で多数の居住者が居住可能な宇宙居住基地（いわゆるスペースコロニー）の主要構成材が構成される居住装置
を具備した
【請求項５】
前記輸送材や前記居住材は、仕切板や外装板として略多角形状に（半）自動的に組立される自動クレーン・自動溶接機・産業ロボット等を装備した（半）自動組立装置
を具備した請求項３・請求項４に記載の防護開発装置の製造装置。
【請求項６】
前記輸送装置・前記居住装置を製造する各体を制御する電子計算機群がネットワークに構成された輸送ネットワーク・居住ネットワークと、
前記（半）自動組立装置の各体を制御する組立ネットワークと、
地球管制体の大型電子計算機と、がネットワークに構成された制御装置
を具備した請求項３〜請求項５に記載の防護開発装置の製造装置。
【請求項７】
新地球に付随して運行し平面状の基地系（ブロック）を多数個広大な平面状に配列し、新地球に新太陽光陰影部を投影する基地系集団を有する投影装置と、
該新太陽光陰影部の投影による温度降下がもたらす新地球の気象の変化や事象の変化を観測する観測装置と、
該観測装置からの観測データ・情報を入力し処理し制御指令を出力する電子計算機群によって新地球ネットワークを構成し、該新地球ネットワークからの制御指令を受信し該基地系（ブロック）やその構成要素である各々の体を制御する電子計算機群によって基地ネットワークを構成し、それらの両ネットワークと大型電子計算機との連携によって該基地系集団の全体を制御する制御装置と、
を具備した防護開発装置。
【請求項８】
前記投影装置は、新地球の遠未来以降の長年月の経過に比例して増強する新太陽光度の漸次上昇に伴う入射太陽光量の漸次増大による新地球高温化を未来の各時代で略椎殺し、新地球の平均気温を略一定に保持する新太陽光陰影部（寒気）、走行陰影部（冷気）を供給する前記基地系集団を、前記制御装置の大型電子計算機の処理・出力により、該新太陽光度の上昇に比例して漸次多数集団が適切な集団間の間隔を保持して配備される基地系集団群
を具備した請求項７に記載の防護開発装置。
【請求項９】
新地球に付随して運行する鏡面状の反射基地系（ブロック）を多数個広大な平面状に配列し、新球に新太陽光反射部を照射する反射基地系集団を有する反射装置と、
該新太陽光反射部に於る温度上昇がもたらす新地球の気象の変化や事象の変化を観測する観測装置と、
該観測装置からの観測のデータ・情報を入力し処理する地球ネットワーク及び該反射基地系の各々の体を制御する反射基地ネットワーク及び大型電子計算機で構成されるネットワークの連携によって該反射基地系集団を制御する制御装置と、
を具備した防護開発装置。
【発明の詳細な説明】
【技術分野】  本発明は防護開発装置とその製造装置の構成に関し、より詳しくは近未来以降に於ける環境の防護や開発に際し重要になる基地系集団・反射基地系集団によって（新）地球の環境の防護及び開発を図らんとするものである。
【背景技術】  ２０世紀は去り、私達は２１世紀という新らしい世紀を迎えた。ここで２１世紀という時代を人類の歴史や地球の歴史上より顧みることは、単に１つの世紀の区切りの時代ということのみに止まらず極めて重要な意義を有することになった。恐らくこの数１０年の世界の対応如何が、未来に向けて末永く生存するべき人類の運命を左右しかねない程、重要な意義を持つと予測される事態に至ってきた。
まず、２０世紀の前・後１世紀の変化の実態と予測とを客観的に把握しておく必要がある。図１は１９・２０世紀における主な変化の実態と、２１世紀に於いてこの傾向が続く場合の予測と、を示す。図１の図（ａ）・図（ｂ）を参考にして２０世紀の初めと終りとを比較すると、世界人口は約３倍、国民総生産は約２１倍、エネルギー消費量は約６０倍に激増した。さらに、１９世紀中頃と２０世紀の終わりとを比較すると、世界人口は約８倍、国民総生産は約５０倍、エネルギー消費量は約８０倍に、各々爆発的に激増した。特に、世界の工業生産は２０世紀に１００倍以上増加した。革命的なまでに産業は発達し、人間の生活様式は大きく変化し、人間の活動力は大きく伸びた。このような著るしい伸びは、私達の人間社会を物質的に豊かにした。人間の行動範囲は飛躍的に広がり、活動能力は伸長し、文明は高度に発達した。現在の文明は便利さと、快適さと、豊かな社会と、を求めて成長と開発に努めてきた私達人類の汗の結晶であり、活動の軌跡である。確かに私達は１９世紀までよりはるかに発達した高度の文明を持ち、遺産として残すことができる。しかし、それら著るしい活動の副産物として、地球環境の深刻化という大きく、かつ深刻な試練を受けることになっている。副産物の中には人間の居住パターンを変える程の大きな影響を及ぼすと予測されているものもある。その具体的な１例を図１を参考にして大略説明する。前記した図１の図（ａ）・図（ｂ）に示すように、２０世紀における世界人口・国民総生産・エネルギー消費量の爆発的な増大に伴って、図（ｃ）に示すように石油消費量は年間１０億トンを越すようになり、この傾向が続くと石油資源はあと４０数年の中に枯渇すると予測されている。そして、木材需要・農耕地需要、により熱帯雨林が年間１１３０万ｈａ破壊されている。森林、特に熱帯雨林は地球の肺に相当する程、大気中の二酸化炭素を吸収し酸素を供給する。このような森林・熱帯雨林の破壊と併せて、石油等の化石燃料は燃焼時に大量の二酸化炭素を排出する。この結果、図（ｄ）に示すように、大気中の二酸化炭素の濃度は年々増大する傾向を示すに至った。そして、図（ｅ）に示すように地球温暖化の傾向が強まりつつある。この傾向が続くと、図（ｆ）に示すように、海水位が年々高くなり、近未来は臨海都市・地域は水没化する危険性がある。生命にとって絶好の生存環境条件を備えた現在の地球は、太陽からの公転距離、従って太陽から受ける太陽光の照射エネルギーの量、地球の大きさ、地球の自転速度、地球の地軸の傾斜、地球の磁力やバリヤ層による宇宙線や紫外線の照射量の調整、大陸や海の大きさ、大気・水・海水、等で構成され、数億年の植物等の活動による酸素の生成、等々によって奇跡的に生み出された。現在の地球環境は上記のような諸要件の微妙なバランスと超長年月をかけた熟成の末に造り出されたものである。しかし、地球環境はバランスが崩れ始めると壊れ易い有限の球体でもある。有限であるから資源と環境とが限られた超巨大な宇宙船にも例えられる。地球環境は過度な自然破壊さえ無ければ、忍耐強く、少々の打撃にも耐えられる寡黙な包容力のある、ねばり強い一面を備えた存在でもありうる。地球は人間の個々の存在から視れば、圧倒的な巨大さと、うねりと、超長年月をかけた活動とをもつ大自然の１つである。大自然には緩衝能力があり長期にわたって被害を表面に出さない。しかし、ある限界を越えると急に状況が悪化するものがある。それが明らかになった時はすでに手遅れだという傾向が強い。地球環境はある方向へ傾斜し始めたら回復困難な非可逆的な性質をもっている。地球環境の諸問題は今ならまだどうにか取組みが間に合うかもしれないが、時期を失せぬ中に早急かつ慎重な応急的対策をとらなければ難しくなるものが多い。地球環境は全く奇跡的な比類のない創生であるから、当然のことであるが、これは現在の人類のためだけのものではない。未来に向けて末永く生存するべき膨大な未来の人類と、多くの種類の未来の膨大な生物とが共有すべき唯一の住家であり生命の源泉である。ところが実際には、地球環境がわずか約１世紀の人類の活動が原因して破壊されかけようとしている。この危険な傾向は現在の人類の責任において修正・転換され地球環境は防護され尽されねばならない。そのためには、環境破壊の原因の排出を繰返してきた２０世紀の人類の活動の全てが個々の立場に於て検証され、最前の対策が図られるべき必要に迫られてきた。世界の人口が１０億に達したのは１８００年頃で、人類が誕生して以来非常に長い歴史が必要であった。しかし、２０億になるには約１３０年、３０億になるには３０年、４０億になるには１５年しかかっていない。特に、第２次世界大戦後における幾何級数的な世界人口の増加は、人工爆発と呼ばれるにふさわしいものであった。この増加傾向は多少変化があるとしても、前記のように世界人口は２０５０年には１００億に達するとみられている。従って、地球は半世紀の間に食糧、水、資源、居住環境等人類生存の必須条件の全ての面において、現在の約２倍の人口を維持しうるだけの扶養能力を備えていなければならない。これらの必須条件が世界人口の生存上充分に余裕のあるうちは、人口増加は人類の繁栄を示すもので結構なことである。現に、数十年前まではそうであった。しかし、第２図に示すように現在実際に直面しまた予測されている危機的課題はいずれも地球規模のものであり、将来益々激しさを増すもので非可逆的性格が強い。その主な原因は世界人口の激増が引き金になっていることが判っている。エネルギーを初め多くの資源の需要は等比級数的に伸びるのに対して、資源の量には、絶対的限界がある。幾世紀、幾億年かけて生成された森林や土壌や地球独得の資源等が今や人間一生程の短い期間に消費されている。また、これらのこことが将来、政治的・社会的安定を脅かす原因となってくる可能性が大きい。２０世紀の人類はその活動の産物として数々の地球環境問題で大きなツケを２１世紀以降の後世に残すことになった。後世の人々は数々の大問題の解決に県命にならねばならぬ時が来る。県命になって解決されればそれで良い。なおかつどうすることもできず解決できぬ時にどうするか。２０世紀はこのことに対して痛切に心が痛まざるを得ないのが本当だ。人類は有史以前の大昔の出来事や、数万年・数億年後の未来の事や、宇宙の果てまで研究し次々と明らかにしてゆくことができる唯一の生物だ。地球や人類の未来の課題はこうなるに違いない、と理論的に判っているのであれば、これをできる範囲・程度まで解決しておこうとする努力は放置されるべきでないだろう。技術の未成熟なために現時点では推定に止ることが多い、でも仕方がない。方向性や必要性の明確になった技術開発は年月がかかれば何とか妥当な答えがでるものが多い。やがて世の中の技術のレベルが向上し発展すれば難問が解決される日も来るであろう。現代の地球環境問題にも未来の地球・人類には天体上の諸理由によって起る危機、正に大危機と呼ばれる試練が待ち受けている。過去複数回到来したものは未来も複数回到来するであろう。後記の氷期の到来の課題然り、小惑星の地球衝突の課題然りである。それらは枠外れの厳冬や大地震よりさらにレベルが異る大危機である。以上は相当現代に近い近未来〜中未来の切実で大きな課題である。相当先々の中未来〜遠未来のことになるが太陽光度の漸次増強による地球高温化、地球の第２金星化の課題は放置すれば生物や人類の世紀末とも言うべき、全運命を左右する大危機である。
本発明の目的は（新）地球の環境の防護及び開発を図らんとするものである。
【発明の実施の最良の形態】
次に、発明の実施の最良の形態について図面を参考にして以下に説明する。
（１）近未来以後にいずれ到来する可能性があると推定される大隕石の地球衝突・大火山の噴火・大規模な核戦争等による地球上の粉じん・土じん・水蒸気等は、そのまゝ放置されれば大気圏（対流圏）・成層圏にまでに拡散されるので、大なり小なり太陽光の地球照射を遮へいすることになる。この場合、その太陽光の照射の遮へいの程度が激しい場合は、太陽光の地球照射による温度上昇が遮断されるので、いわゆる大隕石衝突の冬・大火山噴火の冬・核の冬等が止む得ず到来して地球上は氷結し、人類や生物の多くは生き続けることが不可能となり（半）絶滅の大危機が招来されると予測されており、対抗手段が無かった。
本発明の防護開発装置は、上記のような各々の冬が到来する以前の状態、即ち大隕石衝突・大火山噴火・核爆発の直後から、その近傍に基地系集団（特許第２９０６１６５号）による太陽光陰影部を配備して部分的な寒気を移動して、それに隣接する暖気との境界に前線面を構成し降雨を促進する体制を構成する。
そして、この降雨によって拡散しようとする上記の粉じん・土じん・水蒸気等の拡散緑から除々に洗い流し続けて、上記拡散による太陽光の遮へいの程度を軽減し太陽光の遮断や地球上の氷結を未然に防止できないかの可能性を探索する。
拡散は略放射状に広るので複数の基地系集団による降雨洗流なら更に良い。拡散緑も広るので基地系集団による太陽光陰影部も移動し降雨地点も移動する。降雨は対流圏でのみ可能なので、広く成層圏にまで拡散する以前が望ましい。この降雨洗い流しの継続で対流圏の清浄地域が広れば可能性はあると推定される。
（２）止む得ず粉じん・土じん・水蒸気等が成層圏まで達した場合は自然の太陽光は相当弱められるので上記の太陽光陰影部に隣接して構成される暖気との境界に構成される前線面も弱くなり降雨促進の効果も少くなると推定される。そこで、反射基地系集団が配備され、自然の太陽光に加えて反射太陽光が照射され暖気も強くなり降雨による洗い流しも強くなる。基地系集団・反射基地系集団は大型電子計算機とネットワークに構成され事象との関連で制御され継続される。
（３〜６）推力・比推力が共に大きい新ロケット（例えば核融合のエネルギーを推進力として活用したもの）が開発・実用化された場合には恒星間を飛行する恒星間ロケットが可能になる。現地球はいずれ居住不可能となる。現地球が地球高温化に対抗する防護装置（特許第２９０６１６５号）が採用され、例えば約３０億年間程地球金星化が抑制されて寿命を延長されたとしても早晩、太陽光の高温化に対処する限界がきて居住不可能になることは止む得ぬと推定される。その場合に人類は新しい恒星（第２の太陽）の近傍を公転する進地球を求めて大量に移住しなければならない時が到来するが人類の大量移動は困難を極める。そのような恒星間ロケット、即ち最終的に人類輸送ロケットが必要になるが、大量移住だけに巨大な本体と強力な新ロケットが必要とされるが重量も大きい。そのような人類輸送ロケットは、如何に強力な新ロケットでも引力の大きい現地球上から発進することはまず不可能であるから地球周辺の無重力空間から発進して新地球の周辺の無重力空間まで輸送することにならざるを得ないと推定される。このような人類輸送ロケットは大型の本体のものが多数個必要不可欠となる。輸送装置は、防護装置に於ける基地板が大量生産される製作系（特願２００３−４３７０２８号）と同等の製造装置で製板される充分強度計算されて多数の補強枠で補強された輸送材を組み合せて外装材や仕切材として本体が構成される。輸送材は平面状であるから（半）自動組立装置によって（半）自動的にそれらの側縁が結合され維持補強材によって略直方体状に構成され充分な強度が備えられる。輸送装置はそれ自体と現地球や新地球との往復輸送を任務とする往復装置とが仮ドッキングして仮連結され人類の移動を可能にする連結口が外装材に形成される。このような略直方体状の本体は充分な強度を備えることが可能になれば、それらを複数個づつ組み合せて宇宙居住基地（いわゆるスペースコロニー）を構成することも近未来以降に於てはいずれ可能になると推定され、居住装置が提供される。上記の輸送装置・居住装置は大型電子計算機とネットワークに構成される。
（７〜９）近未来以降に人類が移住する可能性のある新地球は現地球と全く同様の環境の惑星が選定されるとすれば（反射）基地系集団も同様に必要となるがそれらの構成・機能・作用は防護装置（特許第２９０６１６５号）や関連の出願に於て地球→新地球、太陽→新太陽、防護装置→防護開発装置と読み代るものとする。
【発明の効果】
本発明は上記したように構成されているので下記の効果があると推定される。
（１）基地系集団の配備は、上記の大隕石の衝突・大火山の噴火・大規模な核戦争等の情報が伝達されるよりできるだけ早い段階で配備され降雨現象が維持され、それらによる粉じん・土じん・水蒸気等の拡散緑に速やかに近づき上記の降雨現象によってそれらの粉じん・土じん・水蒸気が対流圏にある状態で洗い落される。この効果がもし仮に実際にありうると仮定すればこの洗い落としの作用を継続すれば成層圏まで達して地球の全体を遮へいすることは抑制されると推定される。地球規模の太陽光遮へいによる太陽熱の遮断によって起るとされている地球の氷結、即ちいわゆる大隕石衝突の冬・大火山噴火の冬・核の冬は回避される効果がありうると推定される。降雨は対流圏の下層のみに起り洗い流しされるとしても対流するので対流圏は洗浄される。成層圏にまで噴上られたとしても地球の全体に拡散される前に、その拡散緑に沿って対流圏にある遮へい物を洗い落す作用をねばり強く続ければ太陽光が遮断される程度は軽減される筈である。実際にこのような事態を体験していないので推定の限りあるが全く何らの対抗手段が無いよりも救われる可能性があるかと推定され一条の希望がありうる。
（２）実際の場合を想定すると、上記の粉じん・土じん・水蒸気の噴上の勢いは拡散緑を除く中央部に於て異常に大きいだろうから成層圏にまで達するとすれば地球の全体が最初は薄く次第に濃くなるまで遮へいされてしまう可能性も強い。この場合は反射基地系集団がもし構成されている段階で実際に配備されると仮定すれば自然の太陽光のみでは遮へいされて弱い暖気にしかなりえないが反射太陽光によって加熱が増強されるので強い暖気が構成される。従って、この暖気に基地系集団による太陽光陰影部との間に構成される前線面の作用で降雨が促進される。この降雨によって引き続き対流圏の粉じん・土じん・水蒸気等の遮へい物が洗い流されるのでその作用を継続すれば対流圏の大気は対流されるので遮へい物は次第に少くなると推定される。しかも反射太陽光の加熱もあるので上記の各冬は回避されるとすれば、人類や多くの生物の（半）絶滅の大危機は回避される公算がありうると推定される。
（３）防護装置（特許第２９０６１６５号）に於いて基地系集団の基地系が多数個必要とされ、その必要性に応じ宇宙の資材を活用し宇宙空間（衛星を含む）に於て基地系が多数個製造される製作条（特願２００３−４３７０２８号）の技術が定着したと仮定すると同等の製造装置によって大量輸送ロケットを多数個、製造することが可能になると推定される。例えば基地系の板厚が厚く多数の補強枠で補強され強度計算された骨格及び輸送材は大量輸送ロケットの外装板や仕切板に活用される。補強枠の強度を大きくしたものは骨格としても活用される。これによって、多角形状のロケットの本体が量産可能となる。現地球は太陽光の高温化によっていずれ第２金星化するので居住不可能となる。人類は新地球を求めて全員が移住しなければならないが大量移住だけに巨大な本体と強力な新ロケットが必要となる。もし、巨大な恒星間ロケットが多数個量産可能となればこの必要性に対処できる。
（４）上記の如く多角形状の本体が構成可能であれば、それらを複数個づつ組み合せて宇宙居住基地が必要性の大きい場合に構成可能であると推定される。この平板状の居住材や骨格や基地の全体は充分強度計算されることが前提である。宇宙居住基地を構成する程の余力があれば（反射）基地系集団等によって地球環鏡の防護や開発が優先されるべきと考えられるが必要性判断は近未来以降に於て諸種の事情を考慮して慎重に成されるべきである。
（５）上記の輸送装置・居住装置は（半）自動または遠隔操作が可能な自動クレーン・自動溶接機・産業ロボット等を装備した（半）自動組立台や（半）自動組立ロケット等の（半）自動組立装置によって成されるので、宇宙空間に於ても組立が極めて省力化され効率的に成される。最初は遠隔操作等で人手を介して組立られ、その技術をプログラムに記憶させれば自動化の程度の範囲や精度が上ってくる。
（６）輸送ネットワーク・居住ネットワークと、組立ネットワークと、地球管制体の大型電子計算機と、がネットワークに構成されるので、防護装置・開発装置の基地系集団や反射基地系集団等の各種の装置との連携や統卒が図られる。
（７〜９）新地球は現地球と全く同等の環境にあるので（反射）基地系集団の配備が可能になったと仮定すれば防護装置（特許第２９０６１６５号）や関連出願に掲載された効果と全く同様の効果があると推定される。新地球とは第２以降の地球である。
（８）現在の地球は間氷期にあり地球温暖化以外は恵まれた環境に安住している。恵まれているから近来以降の諸課題は予測可能な範囲で解決されるべきである。現地球を唯一の住家とする人類や生物は、近未来以降に到来すると推定される小天体の衝突・大火山の噴火・大規模核戦争・氷期等によって（半）絶滅に近い状態になるのか、回避し得るのか否かは、近未来以降の運命として極めて大きな問題である。しかし、このような大危機によって人類や生物は（半）絶滅に近い大打撃を受ると仮定したとしても完全に絶滅さえしなければ、種は保存され再び人類や生物は増え続けると予測され数億年は生存し得ると合理的に推定される筈である。
これに対して、太陽の核融合の作用によってヘリウムが増加し太陽の活動の効率化等太陽光の漸次強烈化に伴って地球が次第に高温化し、地球上の水や海水が完全に蒸発してしまい、地球の全体が灼熱化してしまうと予測されている地球高温化（地球の第２金星化）の大危機に対しては、地球上の如何なる生命、（即ち全人類や全生物）といえども生存することは全く不可能で全生命は完全に絶滅するとされている。この全生命の世紀末の大危機は数億年の中に到来すると推定されているので、この大危機を人類が何とか回避し得なかったならば全人類や全生物の寿命は実質的に数億年であると推定されてしまう。即ち、太陽が赤色巨星化して地球も数個の惑星も飲み込まれてしまうと推定されている約５０億年後までは地球は惑星として公転し得るのに、上記の地球高温化（第２金属化）によって全人類や全生物の寿命は数億年と非常に極端に短くなってしまう大危機の運命にある。従って、地球高温化（第２金星化）を回避し得るか否かは全人類や全生物の寿命が予測では約３０億年間程度延長し得るか否かの大きな岐路となってしまう。同様のことは人類がいずれ移住せざるを得ない新地球に於ても新太陽は核融合反応が効率化するので新太陽の光量は次第に強烈になり新地球高温化は起りうる。この運命を何とか回避するには現地球と同様に基地系集団の配備数を次第に増加して新地球陰影部による寒気、走行陰影部による冷気を供給して新地球の平均気温を略一定に維持することが考えられる。折角苦労して人類が大量移住し得たとしても数億年しか移住し得ないか、数１０億年も居住可能かは近未来以降の移住人類にとって大きな差異が生じると推定される。
【図面の簡単な説明】
【図１】１９・２０世紀の環境・資源等の深刻な課題と２１世紀の予測を示す図、
【図２】代表的な地球規模の課題の過去の経過と末来の予測を示す図、
【図３】本発明防護開発装置の電子計算機（制御装置）のネットワークを示す図、
【図４】本発明防護開発装置の使用状態の一実施例を示す模式図、
【図５】本発明防護開発装置の他の一実施例の構造を示す模式図、
【図６】本発明防護開発装置の他の一実施例の構造を示す模式図、
【図７】本発明防護開発装置の一実施例の使用状態を示す模式図、
【図８】本発明防護開発装置の他の実施例の使用状態を示す模式図である。
【符号の説明】
【図１】
2009001258.tif 000003
【図２】
2009001258.tif 000004
【図３】
2009001258.tif 000005
【図４】
2009001258.tif 000006
【図５】
2009001258.tif 000007
【図６】
2009001258.tif 000008
【図７】
2009001258.tif 000009
【図８】
2009001258.tif 000010